(57)【要約】【課題】住人がゲーテッドコミュニティ内の地点を目的地又は出発地に設定する場合であっても、当該設定が許されない旨の警告がなされる。それゆえ、街の住人が不快感を抱いてしまうこと。【解決手段】目的地として入力された地点がゲーテッドコミュニティ３に含まれていれば、警告４を出力するか否かはゲーテッドコミュニティ３への進入可否に応じて決められる。すなわち、ゲーテッドコミュニティ３への進入が可であれば、警告４は出力されない。この場合、目的地がゲーテッドコミュニティ３に設定される。他方、ゲーテッドコミュニティ３への進入が不可であれば、警告４は出力される。具体的には、「ゲーテッドコミュニティです。目的地に設定できません。」との警告が出力される。【選択図】図１
2008241515.tif 000002
【特許請求の範囲】
【請求項１】
目的地又は出発地として入力された地点が地図に定義されたゲーテッドコミュニティに含まれる場合、警告処理を実行するか否かを記憶部に記憶されるゲーテッドコミュニティへの進入可否に応じて制御する処理部を備える情報処理装置。
【請求項２】
前記処理部は、ゲーテッドコミュニティへの進入が可であれば、警告処理を実行せず、他方、ゲーテッドコミュニティへの進入が不可であれば、警告処理を実行することを特徴とする請求項１に記載の情報処理装置。
【請求項３】
前記処理部は、登録された自宅がゲーテッドコミュニティに含まれれば、前記記憶部に対してゲーテッドコミュニティへの進入可を記憶させ、他方、前記自宅がゲーテッドコミュニティに含まれなければ、前記記憶部に対してゲーテッドコミュニティへの進入不可を記憶させることを特徴とする請求項１に記載の情報処理装置。
【請求項４】
目的地又は出発地として入力された地点が地図に定義されたゲーテッドコミュニティに含まれる場合、警告処理を実行するか否かを記憶部に記憶されるゲーテッドコミュニティへの進入可否に応じて制御する機能をコンピュータに実現させるためのプログラム。
【請求項５】
ゲーテッドコミュニティへの進入が可であれば、警告処理を実行せず、他方、ゲーテッドコミュニティへの進入が不可であれば、警告処理を実行する機能をコンピュータに実現させるための請求項４に記載のプログラム。
【請求項６】
登録された自宅がゲーテッドコミュニティに含まれれば、記憶部に対してゲーテッドコミュニティへの進入可を記憶させ、他方、前記自宅がゲーテッドコミュニティに含まれなければ、記憶部に対してゲーテッドコミュニティへの進入不可を記憶させる機能をコンピュータに実現させるためのプログラム。
【発明の詳細な説明】
【技術分野】
【０００１】
本発明は、情報処理装置に関し、より詳しくは、ナビゲーション装置や携帯電話などに関する。
【背景技術】
【０００２】
背景技術として、設定目的地が歩行者専用や私有地などの属性を有する進入禁止区域であれば、目的地周辺の拡大図を表示するナビゲーション装置が知られている（例えば、特許文献１を参照）。
【特許文献１】特開２００５−２４１５６１号公報（段落０００７−０００９）
【発明の開示】
【発明が解決しようとする課題】
【０００３】
近年、防犯体制を重視した街（いわゆる「ゲーテッドコミュニティ」）が普及してきている。この街の住人は、街への進入権限を持っている。また、住人の知人なども、この街への進入権限を得られるであろう。
【０００４】
ところが、背景技術の下では、ゲーテッドコミュニティへの進入権限が考慮されていない可能性があるので、住人がゲーテッドコミュニティ内の地点を目的地又は出発地に設定する場合であっても、当該設定が許されない旨の警告がなされる。それゆえ、街の住人が不快感を抱くという課題があった。
【課題を解決するための手段】
【０００５】
本発明に係る情報処理装置は、目的地又は出発地として入力された地点が地図に定義されたゲーテッドコミュニティに含まれる場合、警告処理を実行するか否かを記憶部に記憶されるゲーテッドコミュニティへの進入可否に応じて制御する処理部を備える。本発明における字句の解釈は、次のとおりである。
【０００６】
「目的地として入力された地点」及び「出発地として入力された地点」は、それぞれ経由地を含みうる。
【０００７】
「入力」とは、入力装置がユーザの命令に応じて出力した信号である。設定画面が表示されている場合に、ユーザの命令は行われる。
【０００８】
「ゲーテッドコミュニティ」とは、防犯体制を重視した街である。
【０００９】
「地図」は、ポリゴンデータ及びネットワークデータの少なくとも一方を含む。「ポリゴンデータ」は、描画処理又はポリゴン判定処理に用いられ、位置（例えば、緯度経度）及び外形を定義する。「ネットワークデータ」とは、探索処理又は案内処理に用いられ、道路の属性（ゲーテッドコミュニティか否か）等を定義する。「地図」は、配信され又は２次記憶装置（例えば、ＣＤ−ＲＯＭ、ＤＶＤ−ＲＯＭやハードディスク等）に予め記憶される。「地図」は、処理時に、ＲＡＭに記憶されている。
【００１０】
「警告処理」とは、ユーザに対して警告するための処理である。「警告」は、スピーカやディスプレイ等の出力装置で出力される。また、警告内容としては、「ゲーテッドコミュニティです」や「目的地に設定できません」等がある。
【００１１】
「記憶部」とは、データを記憶するための部位であって読み書き可能なものである。例えば、半導体メモリ（例えば、ＲＡＭ）等の主記憶装置がある。
【００１２】
「ゲーテッドコミュニティへの進入可否」は、ゲーテッドコミュニティへの進入が可であること又はゲーテッドコミュニティへの進入が不可であることである。例えば、登録された自宅がゲーテッドコミュニティに含まれれば、ゲーテッドコミュニティへの進入可が記憶部に記憶される。他方、登録された自宅がゲーテッドコミュニティに含まれなければ、ゲーテッドコミュニティへの進入不可が記憶部に記憶される。
【００１３】
「に応じて」とは、ゲーテッドコミュニティへの進入が可であれば、警告処理を実行せず、他方、ゲーテッドコミュニティへの進入が不可であれば、警告処理を実行することを意味する。
【００１４】
「処理部」とは、ハードウエア又はハードウエア及びソフトウエア（プログラム）の協働によって特定の処理を実現するための部位である。
【発明の効果】
【００１５】
本発明は、警告処理を実行するか否かをゲーテッドコミュニティへの進入可否に応じて制御するので、ゲーテッドコミュニティへの進入が可能なユーザ（例えば、住人）に配慮することができるという効果を有する。
【発明を実施するための最良の形態】
【００１６】
本発明に係る情報処理装置を実施するための最良の形態は、図１乃至図５で示される。
【００１７】
＜出力例＞本実施の形態に係る出力例は、図１及び図２で示される。地図１が表示されている場合、ユーザは目的地を入力する。この場合、目的地として入力された地点２がゲーテッドコミュニティ３に含まれていれば、警告４を出力するか否かはゲーテッドコミュニティ３への進入可否に応じて決められる。すなわち、ゲーテッドコミュニティ３への進入が可であれば、警告４は出力されない（図１参照）。この場合、ゲーテッドコミュニティ３に設定された地点２が目的地となる。他方、ゲーテッドコミュニティ３への進入が不可であれば、警告４は出力される（図２参照）。具体的には、「ゲーテッドコミュニティです。目的地に設定できません。」との警告が出力される。出力態様は、音声出力及び画像出力の少なくとも一方である。これらの出力例は、以下のハードウエア構成及びソフトウエア構成によって実現される。
【００１８】
＜ハードウエア構成について＞本実施の形態に係る情報処理装置のハードウエア構成は、図３で示される。情報処理装置１０は、処理部１１を少なくとも備える。処理部１１には、２次記憶装置１２、入力装置１３、航法装置１４、表示装置１５及びスピーカ１６が接続されている。
【００１９】
処理部１１は、Ｉ／Ｏ、ＲＯＭ、ＣＰＵやＲＡＭ（「記憶部」に相当する）などのコンピュータの基本要素を備える。Ｉ／Ｏには、入力装置１３、航法装置１４、表示装置１５及びスピーカ１６が接続される。ＲＯＭには、ＢＩＯＳ等の基本プログラムが記憶される。ＲＡＭには、各種プログラム、ＣＰＵの演算結果や入力値等が一時的に記憶される。
【００２０】
２次記憶装置１２は、ハードディスクである。２次記憶装置１２には、警告制御処理プログラム等の各種プログラム及び地図が記憶されている。
【００２１】
入力装置１３は、目的地、出発地や自宅等を入力するためのものであり、リモートコントローラやタッチパネル等である。
【００２２】
航法装置１４は、現在地を得るためのものであり、ＧＰＳ受信機、速度センサや方位センサ等である。
【００２３】
表示装置１５及びスピーカ１６は、警告３を出力するためのものである。
【００２４】
＜データ構造について＞本実施の形態に係る地図のデータ構造は、図４で示される。地図のデータ構造は、背景２１、道路２２、名称２３、案内２４やネットワーク２５等に区分されている。
【００２５】
背景２１、道路２２及び名称２３は、ポリゴンデータである。背景２１には、ゲーテッドコミュニティ形状２１ａ、施設形状２１ｂ及び海形状２２ｃが含まれる。道路２２には、道路形状２２ａが含まれる。名称２３には、ゲーテッドマーク２３ａ及び交差点２３ｂが含まれる。
【００２６】
案内２４は、画像データ及び音声データである。案内２４には、ゲーテッド用の警告案内（以下、警告案内という）２４ａ及び交差点案内２４ｂが含まれる。
【００２７】
ネットワーク２５は、ネットワークデータである。ネットワーク２５は、探索コストに反映される。ネットワーク２５には、ゲーテッドコミュニティか否かを示す属性値２５ａ、道路種別２５ｂ及び車線数２５ｃが含まれる。
【００２８】
＜警告制御処理について＞本実施の形態に係る警告制御処理（以下、本処理という）の前提として、ゲーテッドコミュニティ形状２１ａ及び警告案内２４ａは、装置の起動時に、２次記憶装置１２からＲＡＭに展開される。また、地図１が表示されている場合、ユーザが入力装置１２で地点２を入力すると、入力された地点（以下、入力地点という）２がＲＡＭに記憶される。さらに、自宅設定画面が表示されている場合、ユーザが入力装置１２で自宅を入力すると、自宅として入力された地点（以下、自宅という）が２次記憶装置１２に記憶される。自宅は、装置の起動時に、２次記憶装置１２からＲＡＭに展開される。
【００２９】
本処理は、図５で示される。本処理は、ＣＰＵがＲＡＭに展開された警告制御プログラムを実行することによって実現される。
【００３０】
入力地点とゲーテッドコミュニティ形状２１ａとが比較される（Ｓ１）。すなわち、入力地点がゲーテッドコミュニティ形状２１ａに含まれるか否かが判定される。
【００３１】
Ｓ１で入力地点がゲーテッドコミュニティ形状２１ａに含まれるとの判定がなされると（Ｓ１のＹｅｓ）、自宅とゲーテッドコミュニティ形状２１ａとが比較される（Ｓ１）。すなわち、ゲーテッドコミュニティへの進入可否が判定される。
【００３２】
Ｓ２で自宅がゲーテッドコミュニティ形状２１ａに含まれるとの判定がなされないと（Ｓ２のＮｏ）、警告案内処理が実行される（Ｓ３）。警告処理では、表示装置１５に対して警告案内２４ａに係る画像を表示させる旨の制御信号が出力される。つまり、表示装置１５は、この制御信号を受けて、警告４を出力する。
【００３３】
なお、Ｓ１で入力地点がゲーテッドコミュニティ形状２１ａに含まれるとの判定がなされない場合（Ｓ１のＮｏ）及びＳ２で自宅がゲーテッドコミュニティ形状２１ａに含まれるとの判定がなされた場合（Ｓ２のＹｅｓ）、警告処理は、実行されない。
【００３４】
＜本実施の形態における効果＞本実施の形態によれば、ゲーテッドコミュニティの住人に配慮することができる。具体的には、警告４がなされないので、住人は気分を損ねない。また、住人のみが目的地をゲーテッドコミュニティ内に設定できるので、住人はその点について優越感に浸れる。
【００３５】
＜変形例１＞本実施の形態では、ゲーテッドコミュニティへの進入可否は、警告制御処理時によって決せられている。もっとも、ゲーテッドコミュニティへの進入可否は、警告制御処理時よりも前に決せられてもよい。この場合、進入可否とゲーテッドコミュニティのＩＤとの対応関係が、２次記憶装置１２又はＲＡＭに記憶される。警告処理制御処理時には、進入可否とゲーテッドコミュニティのＩＤとの対応関係は、２次記憶装置１２又はＲＡＭから読み出される。読み出されたゲーテッドコミュニティのＩＤと入力地点が含まれるゲーテッドコミュニティのＩＤとが一致した場合、読み出されたゲーテッドコミュニティのＩＤに対応付けられた進入可否が参照される。
【００３６】
＜変形例２＞本実施の形態では、表示装置１５に対して警告案内２４ａに係る画像を表示させる旨の制御信号が出力される。もっとも、スピーカ１６に対して警告案内２４ａに係る音声を出力させる旨の制御信号が出力されてもよい。
【００３７】
＜変形例３＞本実施の形態では、警告制御処理は、目的地設定画面の表示中に行われている。もっとも、警告制御処理は、出発地設定画面の表示中に行われてもよい。この場合、ゲーテッドコミュニティ３への進入が不可であれば、「ゲーテッドコミュニティです。出発地に設定できません。」との警告が出力される。
【００３８】
＜変形例４＞本実施の形態では、目的地設定が地図上で行われている。もっとも、地名リスト３１が表示されている場合に、ユーザは、目的地を入力してもよい。この場合、目的地として入力された地点がゲーテッドコミュニティに含まれていれば、警告３２を出力するか否かはゲーテッドコミュニティへの進入可否に応じて決められる。すなわち、ゲーテッドコミュニティへの進入が可であれば、警告４は出力されない（図６参照）。この場合、目的地がゲーテッドコミュニティに設定される。他方、ゲーテッドコミュニティ３への進入が不可であれば、警告３２は出力される（図６参照）。具体的には、警告３２の内容は、「ゲーテッドコミュニティです。目的地に設定できません。」である。
【産業上の利用可能性】
【００３９】
本発明は、ゲーテッドコミュニティへの進入が可能なユーザに配慮することができるという効果を有し、ナビゲーション装置や携帯電話等に有用である。
【図面の簡単な説明】
【００４０】
【図１】本実施の形態に係る出力例（進入可の場合）を示す図
【図２】本実施の形態に係る出力例（進入不可の場合）を示す図
【図３】本実施の形態に係る情報処理装置のハードウエア構成を示す図
【図４】本実施の形態に係る地図のデータ構造を示す図
【図５】本実施の形態における警告制御処理の流れを示すフロー図
【図６】変形例４に係る出力例（進入可の場合）を示す図
【図７】変形例４に係る出力例（進入不可の場合）を示す図
【符号の説明】
【００４１】
１    ゲーテッドコミュニティ
２    警告
１０    情報処理装置
１１    処理部
【図１】
2008241515.tif 000003
【図２】
2008241515.tif 000004
【図３】
2008241515.tif 000005
【図４】
2008241515.tif 000006
【図５】
2008241515.tif 000007
【図６】
2008241515.tif 000008
【図７】
2008241515.tif 000009